(57)【要約】【課題】昇降機能、回転機能、リクライニング機能の各種機能が極めて合理的に組み合わされ、家庭での使用を可能にすると共に、静かな使用が可能な昇降・回転・リクライニング用椅子の提供を目的とする。【解決手段】昇降装置２０とリクライニング装置３０とをアクチュエーターで駆動するように設け、これらの装置を回転装置１０上に装着する。ベース体１２の上面に備えられたアクチュエーター４０と、該アクチュエーター４０における油圧シリンダ４１の水平方向の伸縮に伴って上下に伸縮する一対のＸ脚４２とからなる昇降装置２０を設ける。座部２１の後面から背もたれ３１の背面にかけて設けられたアクチュエーター５０と、該アクチュエーター５０における油圧シリンダ５１の略垂直方向の伸縮に伴って背もたれの角度を調整するようにリクライニング装置３０を設ける。【選択図】図１
0003110796.tif 000002
【実用新案登録請求の範囲】
【請求項１】
台座の上に回転自在なベース体を設けた回転装置と、座部の位置を上下スライド自在に調整する昇降装置と、背もたれをリクライニング自在に調整するリクライニング装置とを備えた椅子において、昇降装置とリクライニング装置とをアクチュエーターで駆動するように設け、これら昇降装置とリクライニング装置とを回転装置のベース体上に装着したことを特徴とする昇降・回転・リクライニング用椅子。
【請求項２】
前記昇降装置は、前記ベース体に備えられたアクチュエーターと、該アクチュエーターにおける油圧シリンダの水平方向の伸縮に伴って上下に伸縮する一対のＸ脚とからなり、このＸ脚の上端部に座部を設けた請求項１記載の昇降・回転・リクライニング用椅子。
【請求項３】
前記昇降装置を被覆する折りたたみ自在なカバーを前記座部の周囲下方に設けた請求項１又は２記載の昇降・回転・リクライニング用椅子。
【請求項４】
前記リクライニング装置は、前記座部の後面から背もたれの背面にかけて設けられたアクチュエーターと、該アクチュエーターにおける油圧シリンダの略垂直方向の伸縮に伴って背もたれの角度を調整するように設けた請求項１記載の昇降・回転・リクライニング用椅子。
【請求項５】
前記リクライニング装置のアクチュエーターに、被覆カバーを着脱自在に装着した請求項４記載の昇降・回転・リクライニング用椅子。
【請求項６】
前記背もたれの前面内側にバイブレーションマッサージ機を装着すると共に、該背もたれの左右側面に、上下揺動自在な肘掛を設けた請求項１乃至５いずれか記載の昇降・回転・リクライニング用椅子。
【考案の詳細な説明】
【技術分野】
【０００１】
本考案は、昇降機能、回転機能、リクライニング機能を兼ね備え、これらの各種機能が合理的に組み合わされて、家庭での使用を可能にした昇降・回転・リクライニング用椅子に関する。
【背景技術】
【０００２】
昇降機能や回転機能、リクライニング機能を兼ね備えた椅子として、例えば、理美容店などで使用されている椅子が特許文献１に記載されている。
【０００３】
特許文献１に記載の椅子は、脚部に昇降用駆動部を備えると共に、背もたれの傾起用駆動部を備えたものである。そして、これら昇降用駆動部と傾起用駆動部とに、夫々モーターを配し、各モーターの回転力で座部の昇降と背もたれのリクライニングの調整を行うものである。
【０００４】
一方、特許文献２に記載の椅子は、座部の昇降装置にアクチュエーターを利用したものである。このアクチュエーターで１本の昇降用リンクを昇降させる構造を採用している。
【特許文献１】特開平  ７−２９８９４２号公報
【特許文献２】特開２００１−１１２５６２号公報
【考案の開示】
【考案が解決しようとする課題】
【０００５】
特許文献１の椅子によると、昇降用駆動部と傾起用駆動部とに、夫々モーターを配し、各モーターの回転力で座部の昇降と背もたれのリクライニングの調整を行うものなので、
昇降用駆動部や傾起用駆動部を駆動させると、モーターの回転音や、このモーターにリンクする回転装置等の回転音が生じる不都合がある。しかも、各駆動部の駆動速度がモーターの回転速度で規制されるので、極めて緩やかな伸縮やリクライニングは可能でも、迅速な動きで調製することは困難であった。
【０００６】
一方、特許文献２の椅子では、座部の昇降装置にアクチュエーターを利用しているが、このアクチュエーターで１本の昇降用リンクを昇降させる構造のため、昇降時のバランスが悪くなるおそれがあり、座り方が傾いていると、昇降用リンクが傾く可能性がある。
【０００７】
そこで、本考案は上述の課題を解消すべく創出されたもので、昇降機能、回転機能、リクライニング機能の各種機能が極めて合理的に組み合わされ、安全で静かな使用が可能となり、家庭でも使用することができる昇降・回転・リクライニング用椅子の提供を目的とする。
【課題を解決するための手段】
【０００８】
本考案の第１の手段は、台座１１の上に回転自在なベース体１２を設けた回転装置１０と、座部２１の位置を上下スライド自在に調整する昇降装置２０と、背もたれ３１をリクライニング自在に調整するリクライニング装置３０とを備えた椅子において、昇降装置２０とリクライニング装置３０とをアクチュエーターで駆動するように設け、これら昇降装置２０とリクライニング装置３０とを回転装置１０のベース体１２上に装着したことを特徴とする昇降・回転・リクライニング用椅子。
【０００９】
第２の手段の昇降装置２０は、前記ベース体１２の上面に備えられたアクチュエーター４０と、該アクチュエーター４０における油圧シリンダ４１の水平方向の伸縮に伴って上下に伸縮する一対のＸ脚４２とからなり、このＸ脚４２の上端部に座部２１を設けている。
【００１０】
第３の手段は、昇降装置２０を被覆する折りたたみ自在なカバー２２を前記座部２１の周囲下方に設けている。
【００１１】
第４の手段の前記リクライニング装置３０は、前記座部２１の後面から背もたれ３１の背面にかけて設けられたアクチュエーター５０と、該アクチュエーター５０における油圧シリンダ５１の略垂直方向の伸縮に伴って背もたれ３１の角度を調整するように設けたものである。
【００１２】
第５の手段は、前記リクライニング装置３０のアクチュエーター５０に、被覆カバー３２を着脱自在に装着している。
【００１３】
第６の手段は、前記背もたれ３１の前面内側にバイブレーションマッサージ機３３を装着すると共に、該背もたれ３１の左右側面に、上下揺動自在な肘掛３４を設けたことを課題解消のための手段とする。
【考案の効果】
【００１４】
本考案の請求項１により、昇降装置２０とリクライニング装置３０とをアクチュエーターで駆動するように設け、これら昇降装置２０とリクライニング装置３０とを回転装置１０のベース体１２上に装着したことで、昇降機能、回転機能、リクライニング機能の各種機能が極めて合理的に組み合わされ、家庭での使用を可能にすることができる。
【００１５】
請求項２により、アクチュエーター４０における油圧シリンダ４１の水平方向の伸縮に伴って上下に伸縮する一対のＸ脚４２とからなり、このＸ脚４２の上端に座部２１を設けているので、座部２１を極めてスムーズに且つ静かに昇降させることができる。
【００１６】
請求項３では、座部２１の周囲下方に折りたたみ自在なカバー２２を設けて昇降装置２０のアクチュエーター４０を被覆しているので、極めて安全な使用ができ、しかも、外観上の体裁も良好になる。
【００１７】
請求項４により、アクチュエーター５０における油圧シリンダ５１の略垂直方向の伸縮に伴って背もたれ３１の角度を調整するように設けているので、極めてスムーズで且つ静かにリクライニング調整を行うことができる。
【００１８】
請求項５により、リクライニング装置３０のアクチュエーター５０に、被覆カバー３２を着脱自在に装着しているので、極めて安全な使用ができ、しかも、外観上の体裁も良好になる。
【００１９】
請求項６により、上下揺動自在な肘掛３４を設けているので、本考案椅子への乗り移りが極めて容易になり、背もたれ３１にバイブレーションマッサージ機３３を装着することで、家庭で使用する機能としても充実したものとなっている。
【００２０】
このように本考案によると、昇降機能、回転機能、リクライニング機能の各種機能が極めて合理的に組み合わされ、家庭での使用を可能にすると共に、安全で静かな使用が可能になるなどといった種々の効果を奏するものである。
【考案を実施するための最良の形態】
【００２１】
本考案の最良の形態は、昇降装置２０とリクライニング装置３０とをアクチュエーターで駆動するように設ける。昇降装置２０とリクライニング装置３０とを回転装置１０のベース体１２上に装着する。前記ベース体１２の上面に備えられたアクチュエーター４０と、該アクチュエーター４０における油圧シリンダ４１の水平方向の伸縮に伴って上下に伸縮する一対のＸ脚４２とからなる昇降装置２０を設け、Ｘ脚４２の上端に座部２１を設ける。座部２１の周囲下方に折りたたみ自在なカバー２２を設け、昇降装置２０を被覆する。座部２１の後面から背もたれ３１の背面にかけて設けられたアクチュエーター５０と、該アクチュエーター５０における油圧シリンダ５１の略垂直方向の伸縮に伴って背もたれの角度を調整するようにリクライニング装置３０を設ける。リクライニング装置３０のアクチュエーター５０に、被覆カバー３２を着脱自在に装着する。背もたれ３１の前面内側にバイブレーションマッサージ機３３を装着すると共に、該背もたれ３１の左右側面に、上下揺動自在な肘掛３４を設けることで当初の目的を達成するものである。
【実施例】
【００２２】
本考案の主要構成は、回転装置１０、昇降装置２０、リクライニング装置３０を有するもので、昇降装置２０をアクチュエーター４０で昇降せしめ、もう一方のアクチュエーター５０でリクライニング装置３０を稼動させるものである。
【００２３】
回転装置１０は、台座１１の上に回転自在なベース体１２を設け、このベース体１２の上に昇降装置２０とリクライニング装置３０とを装着する。図示の台座１１は、略リング形状の外枠１１Ａと、外枠１１Ａの中心部に設けられた回転支持部１１Ｂとからなり、この回転支持部１１Ｂにベース体１２を回転自在に装着している（図２参照）。このとき、ベース体１２の回転範囲を左右130度に制限することで、例えば電源コードの巻き付きなどを防止することができる（図４参照）。また、図示のベース体１２は枠体状をなし、このベース体１２に後述するアクチュエーター４０を装着している。
【００２４】
昇降装置２０は、座部２１の位置を上下スライド自在に調整する装置で、前記ベース体１２に備えられたアクチュエーター４０と、該アクチュエーター４０における油圧シリンダ４１の水平方向の伸縮に伴って上下に伸縮する一対のＸ脚４２とからなる（図２参照）。そして、このＸ脚４２の上端に座部２１を設けている。各Ｘ脚４２の下端部において、その一方の脚をベース体１２に揺動自在に固定し、他方をベース体１２に設けたスライド杆４４に沿って水平移動するように設けている。そして、このＸ脚４２の他方の脚と油圧シリンダ４１とを連結腕４３が連結し、油圧シリンダ４１の伸縮に伴ってＸ脚４２が昇降する装置である（図３参照）。
【００２５】
昇降装置２０をカバー２２が被覆している（図１参照）。このカバー２２は、折りたたみ自在に設けられたもので、昇降装置２０を覆うことで、使用時の思わぬ事故を防止するものである（図１（イ）参照）。また、カバー２２は、外観の体裁を良好にする効果もあるので、座部２１が最低の位置まで下がったときでも、このカバー２２がきれいに折りたたまれるように折癖を付けるのが望ましい（同図（ロ）参照）。更に、カバー２２着脱自在に設け、このカバー２２を取り替えられるようにしている。このとき、背もたれ３１から座部２１までの背もたれカバー（図示せず）を用意し、この背もたれカバーも取り替え自在にすることも可能である。
【００２６】
リクライニング装置３０は、座部２１の後面から背もたれ３１の背面にかけて設けられたアクチュエーター５０の駆動で角度を調整するものである（図５参照）。図示のアクチュエーター５０は、背もたれ３１の背面に固定した揺動枠５２と、座部２１の後方に突出した固定枠５３とを設け、この固定枠５３と揺動枠５２とを油圧シリンダ５１で連結している（図６参照）。そして、油圧シリンダ５１が伸長したときに背もたれ３１が起立し（図５（イ）参照）、油圧シリンダ５１が縮退すると共に、背もたれ３１の角度が水平方向に調整されるものである（図５（ロ）参照）。このとき、リクライニング装置３０のアクチュエーター５０に、被覆カバー３２を着脱自在に装着することで、操作時の安全性を高めることができる（図５参照）。また、図示例のリクライニング装置３０によると、被覆カバー３２をはずしたアクチュエーター５０のメンテナンスを容易に行うことができる。
【００２７】
本考案椅子の他の機能として、マッサージ機能と、肘掛３４の跳ね上げ機能とが付加されている。マッサージ機能は、背もたれ３１の前面内側にバイブレーションマッサージ機３３を装着したもので（図１参照）、リモコン（図示せず）で操作できるようにする。また、肘掛３４は、背もたれ３１の左右側面に装着する際に、この肘掛３４を上下揺動自在に設けることで、座部２１への乗り移りが極めて容易になる（図１（イ）参照）。
【００２８】
尚、図示例の各構成は、本考案の一実施例に過ぎず、各部材の寸法における設計変更は勿論のこと、本考案の主要構成部以外の設計変更、材質の転換及び形態の変更など、現在知られている技術範囲で自由に変更することができるものである。
【図面の簡単な説明】
【００２９】
【図１】本考案の一実施例を示し、（イ）は上昇時、（ロ）は下降時を示す正面図である。
【図２】本考案の回転装置と昇降装置との一実施例を示す要部斜視図である。
【図３】本考案の昇降装置の動きを示す要部斜視図である。
【図４】本考案の回転装置の回転範囲を示す要部平面図である。
【図５】本考案の一実施例を示し、（イ）は起き上がり時、（ロ）は倒伏時を示す斜視図である。
【図６】本考案のリクライニング装置の一実施例を示し、起立時の要部斜視図である。
【図７】本考案のリクライニング装置の一実施例を示し、倒伏時の要部斜視図である。
【符号の説明】
【００３０】
１０  回転装置
１１  台座
１１Ｂ  回転支持部
１２  ベース体
２０  昇降装置
２１  座部
２２  カバー
３０  リクライニング装置
３１  背もたれ
３２  被覆カバー
３３  バイブレーションマッサージ機
３４  肘掛
４０  アクチュエーター
４１  油圧シリンダ
４２  Ｘ脚
４３  連結腕
４４  スライド杆
５０  アクチュエーター
５１  油圧シリンダ
５２  揺動枠
５３  固定枠
【図１】
0003110796.tif 000003
【図２】
0003110796.tif 000004
【図３】
0003110796.tif 000005
【図４】
0003110796.tif 000006
【図５】
0003110796.tif 000007
【図６】
0003110796.tif 000008
【図７】
0003110796.tif 000009